(57)【要約】【課題】容易迅速に取り付けが行える簡易取付型監視装置を提供する点にある。【解決手段】監視用の撮像手段８とこの撮像手段８を作動させるための内部電源１２とを備え、前記内部電源１２への電圧供給を行うための電源部１３へ差し込み又はねじ込みにより接続可能な接続部１４を備えさせて、簡易取付型監視装置を構成している。従って、接続部１４を電源部１３に差し込んだり、ねじ込むだけで、内部電源１２と電源部１３との接続を完了することができる。【選択図】　図２
2004112385.tif 000002
【特許請求の範囲】
【請求項１】
監視用の撮像手段とこの撮像手段を作動させるための内部電源とを備え、前記内部電源への電圧供給を行うための電源部へ差し込み又はねじ込みにより接続可能な接続部を備えさせてなる簡易取付型監視装置。
【請求項２】
前記撮像手段にて撮像した映像を携帯電話などの無線通信が行える端末装置を備えさせた請求項１記載の簡易取付型監視装置。
【請求項３】
前記撮像手段が、３６０°の全方位を撮像することができる全方位カメラからなる請求項１又は２記載の簡易取付型監視装置。
【請求項４】
前記電源部が電球のソケットであり、そのソケットに差し込む又はねじ込んで接続可能となる電球の口金にて前記接続部を構成してなる請求項１記載の簡易取付型監視装置。
【請求項５】
光を発するための光源部を備えさせて照明灯を兼用構成してなる請求項４記載の簡易取付型監視装置。
【請求項６】
前記電源部がコンセントであり、そのコンセントに差し込み可能なプラグにて前記接続部を構成してなる請求項１記載の簡易取付型監視装置。
【請求項７】
前記撮像手段や内部電源などを収納するためのケーシングに、マイク及びスピーカのうちの少なくとも一方を取り付けてなる請求項１記載の簡易取付型監視装置。
【請求項８】
赤外線センサや光電センサなどの人物や動物を検出するための近接センサを設け、この近接センサからの検出信号に基づいて前記撮像手段を作動状態と非作動状態とに切り替えるための制御手段を設けてなる請求項１記載の簡易取付型監視装置。
【請求項９】
前記光源部が、多数の発光ダイオードからなる請求項４記載の簡易取付型監視装置。
【発明の詳細な説明】
【０００１】
【発明の属する利用分野】
本発明は、撮像手段にて撮像された映像に基づいて監視を行うように構成された監視装置において、取り付けが簡単に行える簡易取付型監視装置に関する。
【０００２】
【従来の技術】
この種の撮像手段としては、種々のものが提案されているが、近年、室内の監視カメラとして、カメラ光軸を中心として３６０°の視野範囲の全方位を撮影することができる全方位撮影装置を設置することにより、一般家庭の室内等の狭い場所においては一台の全方位撮影装置で済ませることができるようになっている。（例えば、特許文献１又は特許文献２参照。）
【０００３】
【特許文献１】
特開平１１−１７４６０３号公報（第１図）
【特許文献２】
特開２０００−１３１７３７号公報（第１図）
【０００４】
【発明が解決しようとする課題】
しかしながら、上記特許文献１及び特許文献２に示されている全方位撮影装置を設置する場合には、全方位カメラの設置作業を行わなければならないだけでなく、全方位カメラのデータをビデオレコーダ等の記録媒体に送るために全方位カメラと記録媒体とを接続コードにて接続するための配線作業や、全方位カメラに対する電源配線作業が必要になり、多大な作業時間を要する手間のかかるものであった。
【０００５】
本発明が前述の状況に鑑み、解決しようとするところは、容易迅速に取り付けが行える簡易取付型監視装置を提供する点にある。
【０００６】
【課題を解決するための手段】
本発明の簡易取付型監視装置は、前述の課題解決のために、監視用の撮像手段とこの撮像手段を作動させるための内部電源とを備え、前記内部電源への電圧（電力）供給を行うための電源部へ差し込み又はねじ込みにより接続可能な接続部を備えさせて構成している。
上記のように監視用の撮像手段とこれを作動させるための内部電源を備えてなる簡易取付型監視装置に、電源部へ差し込み又はねじ込みにより接続可能な接続部を備えさせているから、その接続部を電源部へ差し込んだり、ねじ込むだけで内部電源と電源部との接続を迅速に完了することができ、従来のような電源部に対する配線作業を不要にすることができる。
【０００７】
前記撮像手段にて撮像した映像を携帯電話などの無線通信が行える端末装置を備えさせることによって、撮像手段からの映像を送るために行う配線作業を不要にすることができる。
【０００８】
前記撮像手段が、３６０°の全方位を撮像することができる全方位カメラから構成することによって、通常のカメラにより構成する場合に比べてカメラの台数を削減することができる。
【０００９】
前記電源部が電球のソケットであり、そのソケットに差し込む又はねじ込んで接続可能となる電球の口金にて前記接続部を構成することによって、口金をソケットに差し込んだり、ねじ込むだけで、簡易取付型監視装置の設置を完了することができるだけでなく、電球の配置スペースを有効利用することで、簡易取付型監視装置の設置スペースを特別に確保することも不要になる。
【００１０】
光を発するための光源部を備えさせて照明灯を兼用構成することによって、別に照明灯を設置することを不要にすることができるだけでなく、簡易取付型監視装置であることをカムフラージュすることができる利点がある。
【００１１】
前記電源部がコンセントであり、そのコンセントに差し込み可能なプラグにて前記接続部を構成することによって、コンセントにプラグを差し込むだけで、簡易取付型監視装置と電源部との接続を完了することができる。又、コンセントの位置を延長コードなどを利用することによって、所望の箇所に移動させて簡易取付型監視装置をあらゆる箇所に設置することもできる。
【００１２】
前記撮像手段や内部電源などを収納するためのケーシングに、マイク及びスピーカのうちの少なくとも一方を取り付けている。
上記のように構成することによって、監視する場所周辺の音又は音声をマイクにて拾うことにより聞くことができたり、その音又は音声を記録することができる。又、スピーカにて監視する場所周辺にいる人や動物などに声を掛けたり、音を流すことができる。又、マイクとスピーカの両方を備えさせている場合には、監視する場所周辺にいる人と相互通話が可能になる利点がある。
【００１３】
赤外線センサや光電センサなどの人物や動物を検出するための近接センサを設け、この近接センサからの検出信号に基づいて前記撮像手段を作動状態と非作動状態とに切り替えるための制御手段を設けることによって、簡易取付型監視装置に人や動物あるいは物体が近づいてきた時のみ、簡易取付型監視装置を作動させることができる。
【００１４】
前記光源部が、多数の発光ダイオードから構成することによって、白熱電球などの各種の照明器具に比べて小型軽量化を図れる他、消費電力及び耐久性の点において有利になる。
【００１５】
【発明の実施の形態】
図１に、両開き式の左右一対の門扉１，１それぞれの両端を支持する左右の外壁２，２の一方の上端に、門灯兼用型の簡易取付型監視装置３を示している。ここでは、門灯兼用型の簡易取付型監視装置３を示しているが、図７に示すようにテーブルＴの上に据え置き型の簡易取付型監視装置３を置いて、例えば部屋の中にいる子供やペットを監視対象としてもよいし、又、図８に示すように部屋の中に置いている電気スタンドＳの上端に簡易取付型監視装置３を設置して部屋の状況を監視するようにしてもよく、簡易取付型監視装置３はどのように設置して使用してもよい。図４及び図５に示す上下角度θは、簡易取付型監視装置３にて監視することができる上下方向の視野角（図では水平から上方に１５°で水平から下方に５５°の合計約７０°に設定しているが、この数値に限定されるものではない）である。
【００１６】
前記簡易取付型監視装置３は、図２に示すように、ガラス材やプラスチック材等の透明材料でなる筒状体４の内部の上端に取り付け固定され、かつ、下面に突出する鏡面仕上げされた回転対称体形状を有する凸面鏡５と、この凸面鏡５が捉えた画像を撮像するための撮像素子の一例であるＣＣＤセンサ６と、前記凸面鏡５の軸線延長上をＣＣＤセンサ６方向に延出して筒状体４の内面反射を生じるような光を遮るために設けられた筒状体内面反射防止用の棒状のセンターニードル７とからなると共に水平方向において３６０°の全方位を撮像する撮像手段を構成する全方位カメラ８を上部に備え、その全方位カメラ８の下端に発光ダイオード９の多数を周方向にほぼ水平方向外方側に光を照射して周囲を照らすための光源部１０を備え、その光源部１０が取り付けられたケーシング１１の下部の内部に、前記ＣＣＤセンサ６及び光源部１０を作動させるためにそれらに電圧供給を行うためのスイッチング制御素子（図示せず）を備えた内部電源を構成するスイッチング電源部１２を備え、前記ケーシング１１の下端に前記外壁２内に埋め込まれると共に商用交流電源に接続された電源部を構成する電球のソケット１３にねじ込んで接続可能となり、かつ、前記スイッチング電源部１２に接続されて接続部を構成する電球の口金１４を備えている。従って、口金１４を外壁１２のソケット１３にねじ込むことによりスイッチング電源部１２へ電圧供給が行える状態になっている。図２に示す１５は、赤外線センサ又は超音波センサなどからなる近接センサである。又、１６は、集音マイクであり、１７は、スピーカである。尚、前記撮像手段として全方位カメラ８を用いることにより、少ない台数のカメラで広範囲を撮像することができる利点があるが、一般的なＣＣＤカメラや魚眼レンズを備えたカメラあるいはピンホール（小孔）から入ってきた画像を撮像する簡素な構成のカメラ等で構成してもよい。ここでは、前記口金１４をソケット１３にねじ込むタイプを示しているが、差し込むことにより電源部にスイッチング電源部１２を接続できるものであってもよい。特に、前記口金１４をソケット１３にねじ込むタイプの場合には、撮像手段として全方位カメラ８を用いることによって、ねじ込み完了位置における簡易取付型監視装置３がどの方向を向いていても３６０°の全方位を撮像することができるため、簡易取付型監視装置３の向きを合わせることが不要になり、取付作業面において更に有利になる利点がある。つまり、１８０°などの３６０°未満の範囲しか撮像することができない撮像手段を用いる場合に、所望の範囲を撮像するように簡易取付型監視装置３の向きを所定の向きに合わせる必要があり、口金１４とソケット１３の両方に口金１４をねじ込み開始する位置を合わせるためのマークなどを付しておかなければならないだけでなく、ねじ込み開始時にマーク同士を位置合わせしてからねじ込まなければならず、操作性が低下することになる。尚、前記ねじ込むタイプだけでなく、差し込みタイプにおいても前記同様に３６０°未満の範囲しか撮像することができない撮像手段を用いる場合には、簡易取付型監視装置３の向きを所定の向きに合わせることが必要になる。
【００１７】
前記簡易取付型監視装置３の動作を、図３のブロック図に基づいて説明する。前記ケーシング１１内には、前記全方位カメラ８を作動させたり、作動を停止させるための作動信号及び作動停止信号などの制御信号を出力するための前記全方位カメラ制御部１８と、この全方位カメラ制御部１８へ制御信号を入力するための機器コントロール部１９とを備えている。従って、前記近接センサ１５から人や動物を検出したときの検出信号が機器コントロール部１９に入力されることにより、全方位カメラ制御部１８にて全方位カメラ８を作動させることができるように構成している。そして、前記全方位カメラ８からの撮像情報や集音マイク１６からの音声情報に基づいてスピーカ１７から音声や音を出すことができるようにしている。例えば、監視対象が部屋の中にいる子供やペットである場合には、家に残してきた子供やペットの状況を全方位カメラ８を通して把握することができ、状況に応じて子供やペットに音声にて注意を与えたり、安心させたりすることができる。図４に示すように、視野角θ内にいる撮像対象である犬Ｈを撮像し、その画像を携帯電話Ｋの表示画面Ｇに取り込むことができるようになっている。
【００１８】
又、図３に示す明暗センサ２０を、簡易取付型監視装置３に内蔵させておいてもよい。この場合には、監視場所が設定された照度よりも低下すると、前記光源部１０を構成する発光ダイオード９を点灯させることができる。
【００１９】
又、図３に示すＰＨＳ等の無線通信が行える通信手段である携帯電話端末２１を、簡易取付型監視装置３に内蔵させておいてもよい。この場合には、図５に示すように、ＰＨＳ等の携帯電話Ｋから適宜簡易取付型監視装置３に電話を掛けることによって、全方位カメラ８にて撮像された画像（図ではねこＮと植物Ｆ）を携帯電話Ｋに備えている表示画面Ｇに映し出して確認することができる。又、携帯電話に備えているスピーカにて前記集音マイク１６からの音声などを聞くことができるだけでなく、携帯電話に備えているマイクを通して簡易取付型監視装置３に備えている前記スピーカ１７に音声などを流して、双方向で通話することが可能になる。前記携帯電話Ｋでは、図５に示すように、簡易取付型監視装置３の全方位カメラ８で捉えた画像をそのままの状態でしか表示画面Ｇに映し出すことができない（つまり、カメラ設置位置を中心に円形状に配置された画像しか得られない）が、図６に示すように、携帯性を重視した個人用の情報端末Ｐの一例であるＰＤＡ（Ｐｅｒｓｏｎａｌ　Ｄｉｇｉｔａｌ（Ｄａｔａ）　Ａｓｓｉｓｔａｎｔｓ）などでは、前記全方位カメラ８の画像を展開できるプログラムを内蔵できるため、前記円形状の画像を水平展開することが可能になり（図では、個人用の情報端末Ｐの表示画面ＥにねこＮと植物Ｆとが水平方向に並んだ状態になっている）、よりリアルな画像情報を得ることができる利点がある。
【００２０】
又、図３に示すデータ通信装置２２、例えばブルートゥース、ＩＥＥＥ１３９４、ＩＥＥＥ８０２．１１ａ、ＩＥＥＥ８０２．１１ｇ等の規格の無線ＬＡＮを簡易取付型監視装置３に内蔵させておいてもよい。この場合には、全方位カメラ８にて取り込まれた画像データや集音マイク１６からの音声を、前記無線ＬＡＮを内蔵し、かつ、その無線ＬＡＮにて通信可能範囲に設置されたパソコン、ＶＴＲ、ＤＶＤなどの記録媒体（電気機器）に無線にて送信することができるだけでなく、その画像データや音声データを記録して保存しておくことができる。尚、前記画像データや音声データの記録は、前記近接センサ１５からの検出信号が出力されたときにのみ行われるように制御することもできる。前記データ通信装置２２を備えさせておくことによって、例えば前記近接センサ１５からの検出信号により全方位カメラ８を作動させると同時に、全方位カメラ８にて捉えた画像データをデータ通信装置２２（無線ＬＡＮ）を介してパソコンなどの記録媒体に記録される。このとき、携帯電話端末２１を介して監視者が持つ携帯電話に画像データ等を配信することにより監視状況を把握することができる。そして、監視状況に基づいて監視現場に出向いたり、前述のようにマイク１６とスピーカ１７により相互に通話を行うことができる。
【００２１】
前記簡易取付型監視装置３は、通常は照明装置として用い、監視装置として使用したい場合に、遠隔用のスイッチをＯＮ操作する又は携帯電話を用いて電話を掛けて作動用の暗証番号を入力することにより、簡易取付型監視装置３を機器コントロール部１９に記憶されているプログラムに基づいて作動を開始できるようにしてもよい。尚、前記簡易取付型監視装置３の作動を停止したい場合には、遠隔用のスイッチをＯＦＦ操作する又は携帯電話を用いて電話を掛けて作動停止用の暗証番号を入力することになる。
【００２２】
図２では、簡易取付型監視装置３をねじ込み式のものから構成したが、図９に示すように電源部であるコンセント２３に差し込み可能なプラグ２４から前記接続部を構成してもよい。前記プラグ２４と図示していないスイッチング電源部１２とをコード２５にて接続しているが、コード２５を省略して実施することもできる。他の説明しなかった構成は、図２のものと同一であるため、同一の符号を付すと共に説明を省略する。
【００２３】
前記簡易取付型監視装置３を、図１０に示すように道路を照らすために設置する多数の街灯２６に利用してもよい。つまり、街灯２６は、下端が土中に埋設される棒状の支持体２７と、この支持体２７の上端に固定される前記簡易取付型監視装置３とから構成している。
図１０で示した簡易取付型監視装置３は、図２で示したものであるが、図１１及び図１２に示すように構成してもよい。つまり、前記全方位カメラ８と、これの上下端にそれぞれ備えさせた光源部１０（一端のみ備えさせてもよい）と、前記支持体２７の上部に備えさせたソケット（図示せず）にねじ込みにより接続される口金１４とから構成している。又、前記支持体２７の表面に太陽電池パネル２８を多数設けて、それら太陽電池パネル２８にて得られた電圧を口金１４を介して全方位カメラ８及び上下の光源部１０，１０に供給するように構成することによって、商用交流電源からの電源部を各街灯２６まで配設することを省略することができる。図１２に示す２９は、銅を溶融して筒状体４の内側表面に縦向きの線状に蒸着して構成した電線部２９であり、口金１４から取り込まれた電圧を上端に位置する光源部１０に供給するために全方位カメラ８間の受け渡し用に形成したものである。
【００２４】
前記簡易取付型監視装置３を、図１３〜図１６に示すように構成して実施することもできる。
図１３（ａ），（ｂ）には、天井に埋設固定されたソケット１３にねじ込んで接続可能な口金１４を上端に備え、その口金１４の下端に前記全方位カメラ８を配置し、その全方位カメラ８の下端のケーシング１１内にスイッチング電源部１２を備えさせている。そして、前記ケーシング１１の下端面に集音マイク１６及びスピーカ１７を備えている。
【００２５】
図１４では、前記ケーシング１１の下端面の外周縁に多数の発光ダイオード９からなる光源部１０及び２個の集音マイク１６，１６と、ケーシング１１の下部側面に取り付けたスピーカ１７とを備えた照明灯兼用の簡易取付型監視装置３に構成されている。
【００２６】
図１５では、光源部１０を全方位カメラ８に対して着脱可能に設けた場合を示している。つまり、口金１４に嵌合する貫通孔３０Ａを備えた円形で環状（リング状）の支持部材３０の外周面（側面）に多数の発光ダイオード９を備えさせて光源部１０を構成し、口金１４の下部の特定部位に取り付けた位置決め兼用の接点３１に接触する凹部３０Ｂを前記支持部材３０の貫通孔３０Ａの特定箇所に形成している。従って、支持部材３０を口金１４の上方から嵌合させることにより光源部１０に口金１４に供給された電圧を接点３１及び凹部３０Ｂに配設した図示していない接点を介して取り込めるようにしている。このように光源部１０を全方位カメラ８に対して着脱可能に設けることによって、光源部１０の球切れなどのときに、光源部１０のみ取り外して容易迅速に球の交換を行うことができる利点がある。尚、スイッチなどを設けて発光ダイオード９の点灯をＯＮ−ＯＦＦ操作可能に構成してもよい。
【００２７】
図１６では、発光ダイオード９が収納された透明なケース３２の多数を、上部のケーシング３３に対して着脱自在に取り付けている。この場合には、ケース３２を取り付けることにより、口金１４に供給された電圧を受けて点灯可能になっているが、スイッチなどを設けて発光ダイオード９の点灯をＯＮ−ＯＦＦ操作可能に構成してもよい。
【００２８】
【発明の効果】
請求項１の発明によれば、電源部に差し込み又はねじ込みにより接続可能な接続部を備えさせているから、その接続部を電源部へ差し込んだり、ねじ込むだけで内部電源と電源部との接続を迅速に完了することができ、従来のような電源部に対する配線作業を不要にして容易迅速に取り付けが行える簡易取付型監視装置を提供することができる。
【００２９】
請求項２の発明によれば、撮像手段にて撮像した映像を携帯電話などの無線通信が行える通信手段を構成する端末装置を備えさせることによって、撮像手段からの映像を送るために行う配線作業を不要にすることができ、簡易取付型監視装置の取付作業を一層迅速に行うことができる。
【００３０】
請求項３の発明によれば、撮像手段を、３６０°の全方位を撮像することができる全方位カメラから構成することによって、通常のカメラにより構成する場合に比べてカメラの台数を削減することができ、コスト面及び設置作業面のいずれにおいても有利になる。
【００３１】
請求項４の発明によれば、電源部が電球のソケットであり、そのソケットに差し込む又はねじ込んで接続可能となる電球の口金にて前記接続部を構成することによって、口金をソケットに差し込んだり、ねじ込むだけで、簡易取付型監視装置の設置を完了することができるだけでなく、電球の配置スペースを有効利用することで、簡易取付型監視装置の設置スペースを特別に確保することも不要になることから、設置スペースを含めた設置面において有利になる。
【００３２】
請求項５の発明によれば、光を発するための光源部を備えさせて照明灯を兼用構成することによって、別に照明灯を設置することを不要にすることができるだけでなく、簡易取付型監視装置であることをカムフラージュすることができ、取付作業面において有利にしながらも、損傷させられることのない又は少ない簡易取付型監視装置を構成することができる。
【００３３】
請求項６の発明によれば、電源部がコンセントであり、そのコンセントに差し込み可能なプラグにて接続部を構成することによって、コンセントにプラグを差し込むだけで、簡易取付型監視装置と電源部との接続を完了することができ、設置面において有利になる。又、コンセントの位置を延長コードなどを利用することによって、所望の箇所に移動させて簡易取付型監視装置をあらゆる箇所に設置することができる利点もある。
【００３４】
請求項７の発明によれば、撮像手段や内部電源などを収納するためのケーシングに、マイク及びスピーカのうちの少なくとも一方を取り付けることによって、監視する場所周辺の音又は音声をマイクにて拾うことにより聞くことができたり、その音又は音声を記録することができ、トラブル発生時の証拠等にすることができる。又、スピーカにて監視する場所周辺にいる人や動物などに声を掛けたり、音を流すことによって、その場にいなくても注意を促したり、安心させることができる利点がある。又、マイクとスピーカの両方を備えさせている場合には、監視する場所周辺にいる人と相互通話が可能になり、トラブル発生を未然に防止できる等の利点がある。
【００３５】
請求項８の発明によれば、赤外線センサや光電センサなどの人物や動物を検出するための近接センサを設け、この近接センサからの検出信号に基づいて撮像手段を作動状態と非作動状態とに切り替えるための制御手段を設けることによって、簡易取付型監視装置に人や動物あるいは物体が近づいてきた時のみ、簡易取付型監視装置を作動させることができるから、余分な時間に要する電力量の削減を図ることができるだけでなく、不要な監視をしなくてもよい。
【００３６】
請求項９の発明によれば、光源部が、多数の発光ダイオードから構成することによって、白熱電球などの各種の照明器具に比べて小型軽量化を図れる他、消費電力及び耐久性の点において有利になり、特に監視装置において有利なものにすることができる。
【図面の簡単な説明】
【図１】門扉の左右両側の外壁の上端に取り付けた簡易取付型監視装置の正面図である。
【図２】簡易取付型監視装置の具体的構成を示す正面図である。
【図３】簡易取付型監視装置の作動制御を示すブロック図である。
【図４】犬を撮像した画像データを携帯電話に送信している状態を示す説明図である。
【図５】猫と植物とを撮像した画像データを携帯電話の表示画面に映し出した一例を示す説明図である。
【図６】猫と植物とを撮像した画像データをＰＤＡの表示画面に映し出した一例を示す説明図である。
【図７】テーブル上に簡易取付型監視装置を設置した状態を示す正面図である。
【図８】電気スタンドの上端に簡易取付型監視装置を取り付けた状態を示す正面図である。
【図９】プラグを備えた簡易取付型監視装置の斜視図である。
【図１０】図２で示した簡易取付型監視装置を取り付けて構成した街灯の正面図である。
【図１１】別の形態の簡易取付型監視装置を取り付けて構成した街灯の正面図である。
【図１２】図１１で示した簡易取付型監視装置の拡大図である。
【図１３】天井に固定されたソケットにねじ込んで取り付け可能な別の簡易取付型監視装置を示し、（ａ）はそれの正面図、（ｂ）はそれの底面図である。
【図１４】天井に固定されたソケットにねじ込んで取り付け可能な別の簡易取付型監視装置を示し、（ａ）はそれの正面図、（ｂ）はそれの底面図である。
【図１５】光源部を全方位カメラに対して着脱自在とした構成を示す分解斜視図である。
【図１６】光源部を全方位カメラに対して着脱自在とした別の構成を示す分解斜視図である。
【符号の説明】
１　門扉　　　　　　２　外壁
３　簡易取付型監視装置
４　筒状体　　　　　５　凸面鏡
６　センサ　　　　　７　センターニードル
８　全方位カメラ　　９　発光ダイオード
１０　光源部　　　　１１　ケーシング
１２　スイッチング電源部
１３　ソケット　　　１４　口金
１５　近接センサ　　１６　集音マイク
１７　スピーカ　　　１８　全方位カメラ制御部
１９　機器コントロール部
２０　明暗センサ　　２１　携帯電話端末
２２　データ通信装置
２３　コンセント　　２４　プラグ
２５　コード　　　　２６　街灯
２７　支持体　　　　２７　支持体
２８　太陽電池パネル
２９　電線部　　　　３０Ｂ　凹部
３０Ａ　貫通孔　　　３０　支持部材
３１　接点　　　　　３２　ケース
３３　ケーシング
Ｇ　表示画面　　　　Ｈ　犬
Ｋ　携帯電話　　　　Ｓ　電気スタンド
Ｔ　テーブル　　　　θ　視野角
【図１】
2004112385.tif 000003
【図２】
2004112385.tif 000004
【図３】
2004112385.tif 000005
【図４】
2004112385.tif 000006
【図５】
2004112385.tif 000007
【図６】
2004112385.tif 000008
【図７】
2004112385.tif 000009
【図８】
2004112385.tif 000010
【図９】
2004112385.tif 000011
【図１０】
2004112385.tif 000012
【図１１】
2004112385.tif 000013
【図１２】
2004112385.tif 000014
【図１３】
2004112385.tif 000015
【図１４】
2004112385.tif 000016
【図１５】
2004112385.tif 000017
【図１６】
2004112385.tif 000018